(57)【要約】  【課題】  電力線の電力供給側に不要な信号が伝播することを防止して、電力線から生ずる不要な漏洩電界を低減することができる通信システムを提供する。  【解決手段】  分電盤２ａで分岐された電力線Ｐ１１、Ｐ１２の分電盤２ａに近い部分に、親モデム５に接続された磁気結合回路５５を設け、子モデム６、６、…を電力線Ｐ１１、Ｐ１２の磁気結合回路５５より分電盤２ａから遠い部分に接続し、分電盤２ａと磁気結合回路５５との間の電力線Ｐ１１、Ｐ１２夫々の線間にコンデンサ８を接続することにより、親モデム５と子モデム６、６、…との間で送受信される信号をコンデンサ８で迂回させる。【選択図】      図１
2007028003.tif 000002
【特許請求の範囲】
【請求項１】
電力を供給する電力線を通じて信号を送受信する複数の通信装置を備える通信システムにおいて、
一の通信装置は、内部に電力線を挿通する環状の磁性体に巻回した信号線と前記電力線との磁気結合により前記信号線と電力線との間で信号を授受する磁気結合回路を接続してあり、該磁気結合回路を前記電力線の電力供給側に近い部分に設けてあり、
他の通信装置は、前記電力線の前記磁気結合回路より電力供給側から遠い部分に接続してあり、
前記電力線の前記磁気結合回路より電力供給側に近い部分の線間に信号を迂回させる迂回回路を備えることを特徴とする通信システム。
【請求項２】
前記電力線の前記磁気結合回路より電力供給側に近い部分に、他の電力線を分岐する分岐装置を備え、
前記迂回回路は、
前記磁気結合回路と前記分岐装置との間に設けられていることを特徴とする請求項１に記載の通信システム。
【請求項３】
前記他の電力線を通じて信号を送受信する複数の通信装置を備え、
一の通信装置は、内部に電力線を挿通する環状の磁性体に巻回した信号線と前記電力線との磁気結合により前記信号線と電力線との間で信号を授受する磁気結合回路を接続してあり、該磁気結合回路を前記他の電力線の前記分岐装置に近い部分に設けてあり、
他の通信装置は、前記他の電力線の前記磁気結合回路より前記分岐装置から遠い部分に接続してあり、
前記他の電力線の前記磁気結合回路と前記分岐装置との間の線間に信号を迂回させる迂回回路を備えることを特徴とする請求項２に記載の通信システム。
【請求項４】
前記迂回回路は、コンデンサであることを特徴とする請求項１乃至請求項３のいずれかに記載の通信システム。
【発明の詳細な説明】
【技術分野】
【０００１】
本発明は、電力線を通じて信号を送受信する複数の通信装置を備える通信システムに関する。
【背景技術】
【０００２】
近年、光ファイバは、都市部では配電用変圧器の近くまで布設されており、この光ファイバと配電用変圧器近くの分電盤から各需要家までの数十〜数百メートルとの間で高速な電力線通信（ＰＬＣ：Power Line Communication）を実現することによって、新たに通信線路を敷設することなく、データの高速通信が期待できるようになった。
【０００３】
電力線通信は、例えば、分電盤の付近に設けられた通信装置（例えば、親機のモデム）と、各需要家の建物又は家屋内などに備えられた電源コンセントに接続された通信装置（例えば、子機のモデム）との間で行うことができる。子機のモデムは、該子機のモデムに接続されたパーソナルコンピュータで処理したデータに基づいて、搬送波を変調した信号を電力線に送出するとともに、電力線を搬送された信号を抽出して、抽出した信号を復調し、データをパーソナルコンピュータに出力する。
【０００４】
一方、親機のモデムは、光電気変換装置を介して、該光電気変換装置に接続された光ファイバを経由して外部のインターネットに接続してあるとともに、子機のモデムへ送信する信号を電力線に送出し、また、子機のモデムから送出され電力線を搬送した信号を抽出するために、電力線を挿通した環状のフェライトコアに信号線を巻回し、巻回した信号線と電力線との磁気結合を利用することにより、信号の送出及び抽出を行う電力線通信システムが提案されている（特許文献１参照）。
【特許文献１】特開２００３−１４３０４３号公報
【発明の開示】
【発明が解決しようとする課題】
【０００５】
しかしながら、特許文献１の例にあっては、配電用変圧器付近の分電盤（分岐装置）から各需要家へ電力を供給するために、配電用変圧器の２次側の電力線は、漏電遮断器、ブレーカなどを備えた分電盤により複数分岐され、分岐された夫々の電力線が、さらに小容量の分電盤で分岐されて各需要者へ施設されるため、親機のモデムと子機のモデムとの間で送受信される信号が、電力線の電力供給側に流れ、分電盤を介して分岐された他の電力線に流れるとともに、配電用変圧器まで到達することにより、電力線から外界へ漏れる漏洩電界が大きくなる虞があった。また、分電盤で分岐された電力線毎に、独立した通信ネットワークを構築する場合には、夫々の通信ネットワークで用いられる信号が分電盤を通じて干渉し合う虞もあった。
【０００６】
本発明は、斯かる事情に鑑みてなされたものであり、一の通信装置に信号線と電力線との磁気結合により前記信号線と電力線との間で信号を授受する磁気結合回路を接続し、該磁気結合回路を前記電力線の電力供給側に近い部分に設け、他の通信装置を前記電力線の前記磁気結合回路より電力供給側から遠い部分に接続し、前記電力線の前記磁気結合回路より電力供給側に近い部分の線間に信号を迂回させる迂回回路を備えることにより、電力線の電力供給側に不要な信号が伝播することを防止して、電力線から生ずる不要な漏洩電界を低減することができる通信システムを提供することを目的とする。
【０００７】
本発明の他の目的は、電力線を分岐する分岐装置と前記磁気結合回路との間に、前記迂回回路を設けることにより、分岐された１つの電力線を通じて通信装置間で送受信される信号が、分岐された他の電力線に伝播することを防止して、電力線から生ずる不要な漏洩電界をさらに低減することができる通信システムを提供することにある。
【０００８】
本発明の他の目的は、分岐装置で分岐された他の電力線の一の通信装置に磁気結合回路を接続し、該磁気結合回路を前記他の電力線の前記分岐装置に近い部分に設け、前記他の電力線の他の通信装置は、前記他の電力線の前記磁気結合回路より前記分岐装置から遠い部分に接続し、迂回回路を前記磁気結合回路と前記分岐装置との間に設けることにより、分岐装置で分岐された電力線同士で相互に信号が干渉することを防止し、分岐された電力線毎に分離した通信ネットワークを構築することができる通信システムを提供することにある。
【０００９】
本発明の他の目的は、前記迂回回路は、コンデンサであることにより、送受信する信号の周波数帯域に応じて、小型かつ簡便な構成で信号を迂回させることができる通信システムを提供することにある。
【課題を解決するための手段】
【００１０】
第１発明に係る通信システムは、電力を供給する電力線を通じて信号を送受信する複数の通信装置を備える通信システムにおいて、一の通信装置は、内部に電力線を挿通する環状の磁性体に巻回した信号線と前記電力線との磁気結合により前記信号線と電力線との間で信号を授受する磁気結合回路を接続してあり、該磁気結合回路を前記電力線の電力供給側に近い部分に設けてあり、他の通信装置は、前記電力線の前記磁気結合回路より電力供給側から遠い部分に接続してあり、前記電力線の前記磁気結合回路より電力供給側に近い部分の線間に信号を迂回させる迂回回路を備えることを特徴とする。
【００１１】
第２発明に係る通信システムは、第１発明において、前記電力線の前記磁気結合回路より電力供給側に近い部分に、他の電力線を分岐する分岐装置を備え、前記迂回回路は、前記磁気結合回路と前記分岐装置との間に設けられていることを特徴とする。
【００１２】
第３発明に係る通信システムは、第２発明において、前記他の電力線を通じて信号を送受信する複数の通信装置を備え、一の通信装置は、内部に電力線を挿通する環状の磁性体に巻回した信号線と前記電力線との磁気結合により前記信号線と電力線との間で信号を授受する磁気結合回路を接続してあり、該磁気結合回路を前記他の電力線の前記分岐装置に近い部分に設けてあり、他の通信装置は、前記他の電力線の前記磁気結合回路より前記分岐装置から遠い部分に接続してあり、前記他の電力線の前記磁気結合回路と前記分岐装置との間の線間に信号を迂回させる迂回回路を備えることを特徴とする。
【００１３】
第４発明に係る通信システムは、第１発明乃至第３発明のいずれかにおいて、前記迂回回路は、コンデンサであることを特徴とする。
【００１４】
第１発明にあっては、一の通信装置は、磁気結合回路を通じて送信する信号を電力線に送出し、受信する信号を電力線から抽出する。これにより、前記一の通信装置は、電力線を通じて該電力線の前記磁気結合回路より電力供給側から遠い部分に接続された他の通信装置との間で信号を送受信する。通信装置間で送受信される信号は、前記磁気結合回路より電力供給側の電力線の線間に設けられた迂回回路を迂回するため、前記信号は電力線の前記迂回回路より電力供給側には流れない。
【００１５】
第２発明にあっては、電力線に接続された通信装置間で送受信される信号を、前記一の通信装置に接続された磁気結合回路と分岐装置との間に設けられた迂回回路で迂回させる。これにより、前記信号を、分岐装置で分岐された他の複数の電力線及び分岐装置よりさらに電力供給側の電力線に伝播させない。
【００１６】
第３発明にあっては、分岐装置で分岐された他の電力線の一の通信装置と他の通信装置との間で送受信される信号を、前記一の通信装置に接続された磁気結合回路と前記分岐装置との間に設けられた迂回回路で迂回させる。これにより、前記分岐装置で分岐された電力線夫々を通じて送受信される信号同士は、前記分岐装置まで伝播せず、前記分岐装置を介して相互に干渉しない。
【００１７】
第４発明にあっては、電力線を通じて送受信する信号の周波数帯域に応じて、該周波数帯域でインピーダンスが小さくなるコンデンサを電力線の線間に設けることにより、前記信号を迂回させる。
【発明の効果】
【００１８】
第１発明にあっては、一の通信装置に磁気結合回路を接続し、電力線の前記磁気結合回路より電力供給側に近い部分の線間に信号を迂回させる迂回回路を備えることにより、電力線を通じて送受信する信号を迂回回路で迂回させ、電力線の電力供給側に信号が伝播することを防止でき、電力線から不要な漏洩電界が生じることを低減することができる。さらに、電力供給側への信号伝播を防止することにより、電力供給側に存在する抵抗成分により消費される電流が削減されることになり、従って効率的に他の通信装置へ信号を伝播することができる。
【００１９】
第２発明にあっては、電力線を分岐する分岐装置と前記磁気結合回路との間に、前記迂回回路を設けることにより、電力線を通じて通信装置間で送受信される信号が、分岐された他の電力線に伝播することを防止して、電力線から生ずる不要な漏洩電界をさらに低減することができる。
【００２０】
第３発明にあっては、分岐装置で分岐された電力線夫々の一の通信装置に、磁気結合回路を接続し、前記電力線の前記磁気結合回路夫々と前記分岐装置との間に信号を迂回させる迂回回路を設けることにより、分岐装置を介して信号が相互に干渉することを防止し、分岐装置で分岐された電力線毎に信号が干渉しない通信ネットワークを構築することができる。
【００２１】
第４発明にあっては、迂回回路にコンデンサを用いることにより、信号の周波数帯域に応じて、小型かつ簡便な構成で信号を迂回させることができる。
【発明を実施するための最良の形態】
【００２２】
以下、本発明をその実施の形態を示す図面に基づいて説明する。図１は本発明の通信システムの概要を示す説明図である。図において、Ｐ０は三相交流の中圧電圧（例えば、６ｋＶ）を配電する中圧配電線である。中圧配電線Ｐ０は、適長の離隔距離を有して施設された変圧器１ａ、１ｂの１次側に接続してあり、変圧器１ａの２次側には、電力線Ｐ１、Ｐ２を接続してある。変圧器１ａは、中圧電圧を低圧電圧（例えば、２００Ｖ）に変換する。
【００２３】
電力線Ｐ１は、分電盤２ａの電力供給側に接続してあり、分電盤２ａは、低圧電圧を各需要者へ供給するために、電力線Ｐ１を後述するように複数分岐する。分電盤２ａは、漏電遮断器３ａ、３ｂ、３ｃ、４ａ、４ｂ、４ｃ、４ｄ、４ｅ、４ｆを備え、電力線Ｐ１は、夫々漏電遮断機３ａ、３ｂ、３ｃの電力供給側に接続している。漏電遮断器３ａは、電力線Ｐ１を電力線Ｐ１１、Ｐ１２に分岐し、漏電遮断器３ｂは、電力線Ｐ１を電力線Ｐ１３、Ｐ１４に分岐し、漏電遮断器３ｃは、電力線Ｐ１を電力線Ｐ１５、Ｐ１６に分岐している。
【００２４】
電力線Ｐ１１の中途には、漏電遮断器４ａを介在してあり、漏電遮断器４ａの負荷側であって、分電盤２ａに近いモデムは、電力線Ｐ１１に磁気結合回路５５を接続した親機のモデム５（以下、親モデム５）である。親モデム５は、光電気変換装置（不図示）を介して光ファイバ（不図示）に接続してあり、インターネットなどの外部と光ファイバを通じてデータ通信を行う。
【００２５】
漏電遮断器４ａの負荷側（親モデム５より負荷側）の電力線Ｐ１１には、複数の電源コンセント７、７、…を設けている。各電源コンセント７、７、…には、必要に応じて子機のモデム６、６、…（以下、子モデム６）を接続している。子モデム６、６、…には、パーソナルコンピュータ（不図示）を接続している。これにより、親モデム５に接続された磁気結合回路５５を電力線Ｐ１１の分電盤２ａに近い部分に設け、子モデム６、６、…は、電力線Ｐ１１の磁気結合回路５５より分電盤２ａから遠い部分に接続する。漏電遮断器４ａの負荷側端子付近には、電力線Ｐ１１の線間にコンデンサ８を接続している。
【００２６】
コンデンサ８は、電力線Ｐ１１を通じて親モデム５、子モデム６、６、…の間で送受信される信号を迂回させることにより、コンデンサ８が接続された箇所から電力供給側の電力線Ｐ１１に信号が伝播することを防止する。コンデンサ８の容量は、信号の周波数帯域に応じて変更することができる。例えば、周波数帯域が２ＭＨｚ〜３０ＭＨｚ程度であっても、信号を十分に迂回させるために、コンデンサ８のインピーダンスは数Ω程度が望ましく、コンデンサ８の容量は、数十ｎＦから数百μＦ程度の間で選択可能である。
【００２７】
親モデム５は、外部のインターネットから入力されたデータに基づいて、搬送波を変調した信号を電力線Ｐ１１に送出し、子モデム６、６、…は、電力線Ｐ１１に送出された信号を抽出し、抽出した信号を復調してパーソナルコンピュータへ出力する。また、子モデム６、６、…は、パーソナルコンピュータ（不図示）から入力されたデータに基づいて、搬送波を変調した信号を電力線Ｐ１１に送出し、親モデム５は、電力線Ｐ１１に送出された信号を抽出し、抽出した信号を復調して得られたデータを外部のインターネットへ出力する。このように、電力線Ｐ１１を通じて、親モデム５と子モデム６、６、…との間で信号を送受信する。
【００２８】
同様に、電力線Ｐ１２の中途には、漏電遮断器４ｂを介在してあり、漏電遮断器４ｂの負荷側であって、分電盤２ａに近いモデムは、電力線Ｐ１２に磁気結合回路５５を接続した親機のモデム５（以下、親モデム５）である。親モデム５は、光電気変換装置（不図示）を介して光ファイバ（不図示）に接続してあり、インターネットなどの外部と光ファイバを通じてデータ通信を行う。
【００２９】
漏電遮断器４ｂの負荷側の電力線Ｐ１２には、複数の電源コンセント７、７、…を設けている。各電源コンセント７、７、…には、必要に応じて子モデム６、６、…を接続している。子モデム６、６、…には、パーソナルコンピュータ（不図示）を接続している。漏電遮断器４ｂの負荷側端子付近には、電力線Ｐ１２の線間にコンデンサ８を接続している。
【００３０】
親モデム５は、外部のインターネットから入力されたデータに基づいて、搬送波を変調した信号を電力線Ｐ１２に送出し、子モデム６、６、…は、電力線Ｐ１２に送出された信号を抽出し、抽出した信号を復調してパーソナルコンピュータへ出力する。また、子モデム６、６、…は、パーソナルコンピュータ（不図示）から入力されたデータに基づいて、搬送波を変調した信号を電力線Ｐ１２に送出し、親モデム５は、電力線Ｐ１２に送出された信号を抽出し、抽出した信号を復調して得られたデータを外部のインターネットへ出力する。このように、電力線Ｐ１２を通じて、親モデム５と子モデム６、６、…との間で信号を送受信する。
【００３１】
電力線Ｐ１３、Ｐ１４、Ｐ１５、Ｐ１６の中途には、漏電遮断器４ｃ、４ｄ、４ｅ、４ｆを介在してあり、漏電遮断器４ｃ、４ｄ、４ｅ、４ｆの負荷側の電力線Ｐ１３、Ｐ１４、Ｐ１５、Ｐ１６には、電力線Ｐ１１、Ｐ１２の場合と同様に、親モデム５、子モデム６、６、…を接続している。これにより、電力線Ｐ１３、Ｐ１４、Ｐ１５、Ｐ１６夫々を通じて、親モデム５と子モデム６、６、…との間で信号を送受信する。
【００３２】
また、変圧器１ａの２次側の電力線Ｐ２は、分電盤２ｂに接続してあり、分電盤２ｂは、電力線Ｐ２を複数の電力線に分岐する。同様に、変圧器１ｂの２次側の電力線Ｐ３、Ｐ４は、分電盤２ｃ、２ｄに接続してあり、分電盤２ｃ、２ｄ夫々は、電力線Ｐ３、Ｐ４を複数の電力線に分岐する。
【００３３】
図２は親モデム５の構成を示すブロック図である。図において、５１は通信部である。通信部５１は、光ファイバを通じてインターネットなどの通信網から伝送される光信号を光電気変換装置（不図示）で変換したデジタル信号を受信し、受信したデジタル信号を信号処理部５２へ出力する。
【００３４】
また、通信部５１は、信号処理部５２から入力されたデジタル信号を光電気変換装置（不図示）へ出力することにより、モデム５から出力したデジタル信号は、光ファイバを通じてインターネットへ伝送される。
【００３５】
信号処理部５２は、通信部５１から入力されるビット列から構成されるデータビットに誤り訂正符号を付加してデータを符号化し、符号化したデータを変調部５３へ出力する。また、信号処理部５２は、復調部５７から入力された復調されたデータに基づいて、データに誤りがあるか否かを判定し、誤りがある場合には誤り訂正を行い、訂正後のデータを通信部５１へ出力し、読み出したデータに誤りがない場合には、該データを通信部５１へ出力する。
【００３６】
変調部５３は、信号処理部５２から入力されたデータを直交する複数の搬送波夫々に分散し、分散したデータを各搬送波に割り当て、割り当てられたデータ（シンボル）に基づいて直交振幅変調を行うことにより、搬送波を変調して変調信号に変換し、変換したデジタル変調信号をアナログ変調信号に変換し、フィルタ５４へ出力する。
【００３７】
フィルタ５４は、変調部５３から入力された変調信号の高調波成分を除去する処理をし、処理後の変調信号を磁気結合回路５５へ出力する。
【００３８】
磁気結合回路５５は、環状の磁性体に信号線５５ａを１又は複数回巻回してあり、磁性体の挿通孔に電力線Ｐ１１を挿通する構造となっている。磁性体を介して、電力線Ｐ１１と信号線５５ａとの間の磁気結合により、磁気結合回路５５は、信号を電力線Ｐ１１に送出するとともに、電力線Ｐ１１から信号を抽出する。
【００３９】
磁気結合回路５５は、フィルタ５４から入力された変調信号を信号線５５ａと電力線Ｐ１１との磁気結合により、電力線Ｐ１１に送出する。また、磁気結合回路５５は、電力線Ｐ１１を搬送された信号を、電力線Ｐ１１と信号線５５ａとの間の磁気結合を利用して抽出し、フィルタ５６へ出力する。
【００４０】
フィルタ５６は、磁気結合回路５５で抽出した信号から高調波成分を除去する処理をし、処理後の信号を復調部５７へ出力する。
【００４１】
復調部５７は、フィルタ５６から入力されたアナログの変調信号をデジタルの信号に変換し、変換後の信号をサブキャリアの数に等しい組のパラレルデータに変換し、変換したパラレルデータを搬送波毎に周波数領域の信号に変換し、変換後の信号に対して、送信されたデータを再生するための復調処理（例えば、直交振幅変復調方式）が行われ、処理後のデータを信号処理部５２へ出力する。
【００４２】
図３は子モデム６の構成を示すブロック図である。図において、６１はインタフェース部である。インタフェース部６１は、子モデム６に接続されるパーソナルコンピュータとの間でデータの授受を行う。
【００４３】
電源プラグ６６は、建物内、宅内などに設けられた電源コンセント７に子モデム６を接続するためのものである。これにより、子モデム６は、電源プラグ６６を通じて、子モデム６を作動させるために必要な商用電力を電源部で受電する。
【００４４】
コンデンサ６５は、電源プラグ６６からの電源線の各線（単相２線の場合は２本）に直列に接続してあり、電力線の商用電力を遮断し、電力線を通じて商用電力に重畳して伝播する信号のみを通過させる通過フィルタの役割を果たす。
【００４５】
信号処理部６２、変調部６３、復調部６８、フィルタ６４、６７は、図２の親モデム５の場合と同様の機能を有するので、説明は省略する。
【００４６】
図４はコンデンサ８の接続例を示す説明図である。分電盤２ａ内の漏電遮断器４ａの負荷側に接続された電力線Ｐ１１には、漏電遮断器４ａ、すなわち、分電盤２ａに近い側に親モデム５を設け、親モデム５に接続された磁気結合回路５５に電力線Ｐ１１を挿通している。また、子モデム６、６、…は、電力線Ｐ１１の親モデム５よりさらに電力線Ｐ１１の負荷側に設けている。
【００４７】
漏電遮断器４ａの負荷側の端子部分に、電力線Ｐ１１の線間にコンデンサ８を接続している。これにより、コンデンサ８は、電力線Ｐ１１の電力供給側に近い部分に設けられた磁気結合回路５５と分電盤２ａとの間に接続され、電力線Ｐ１１を通じて、親モデム５と、子機のモデム６、６、…との間で送受信される信号は、コンデンサ８で迂回されるため、コンデンサ８が接続された箇所から電力供給側の電力線Ｐ１１には、信号が流れない。
【００４８】
次に本発明の通信システムの動作について説明する。図５は親モデム５及び子モデム６、６、…間の信号の流れを示す説明図である。図に示すように、分電盤２ａ内の漏電遮断器３ａは、電力線Ｐ１を電力線Ｐ１１、Ｐ１２に分岐し、電力線Ｐ１１、Ｐ１２夫々で、親モデム５、子モデム６、６、…で構成される通信ネットワークを構築している。
【００４９】
親モデム５は、親モデム５、子モデム６、６、…の中で、電力線Ｐ１１、Ｐ１２の電力供給側に近い部分（すなわち、分電盤２ａ側）に設けられている。また、コンデンサ８、８夫々は、親モデム５の磁気結合回路５５が設けられた箇所と分電盤２ａ内の電力線Ｐ１及びＰ２が分岐される箇所又はそれより負荷側との間の電力線Ｐ１、Ｐ２の線間に接続されている。
【００５０】
親モデム５から磁気結合回路５５を介して電力線Ｐ１１に送出された信号は、電力線Ｐ１１を伝播し、子モデム６は、内蔵のコンデンサ６５を介して電力線Ｐ１１から信号を抽出する。一方、子モデム６からコンデンサ６５を介して電力線Ｐ１１に送出された信号は、電力線Ｐ１１を伝播し、親モデム５は、磁気結合回路５５を介して電力線Ｐ１１から信号を抽出する。
【００５１】
信号の周波数帯域で、コンデンサ８のインピーダンスが電力線Ｐ１１の電力供給側のインピーダンス（電源側インピーダンス）よりも小さくなるような容量を有するコンデンサ８を用いることにより、電力線Ｐ１１を伝播する信号は、コンデンサ８が接続された箇所で、電力線Ｐ１１の電力供給側には伝播せず、コンデンサ８を迂回する。これにより、電力線Ｐ１１を通じて伝播される信号が、分電盤２ａで分岐される他の電力線Ｐ１２、Ｐ１３、Ｐ１４、Ｐ１５、Ｐ１６へ伝播することを防止するとともに、分電盤２ａよりも電力供給側の他の電力線Ｐ２、変圧器１ａなどに伝播することを防止できる。
【００５２】
また、信号の周波数帯域で、コンデンサ８のインピーダンスが電力線Ｐ１２の電力供給側のインピーダンス（電源側インピーダンス）よりも小さくなるような容量を有するコンデンサ８を用いることにより、電力線Ｐ１２を伝播する信号は、コンデンサ８が接続された箇所で、電力線Ｐ１２の電力供給側には伝播せず、コンデンサ８を迂回する。これにより、電力線Ｐ１１、Ｐ１２夫々を通じて独立に構築された通信ネットワークで使用する信号が、相互に干渉することを防止でき、干渉のない分離した電力線搬送の通信ネットワークを構築できる。
【００５３】
以上説明したように、本発明にあっては、分電盤２ａで分岐された電力線Ｐ１１の分電盤２ａに近い部分に、親モデム５に接続された磁気結合回路５５を設け、子モデム６、６、…を電力線Ｐ１１の磁気結合回路５５より分電盤２ａから遠い部分に接続し、分電盤２ａと磁気結合回路５５との間の電力線Ｐ１１の線間にコンデンサ８を接続することにより、親モデム５と子モデム６、６、…との間で送受信される信号を、コンデンサ８に迂回させる。また、分電盤２ａで分岐された電力線Ｐ１２の分電盤２ａに近い部分に、親モデム５に接続された磁気結合回路５５を設け、子モデム６、６、…を電力線Ｐ１２の磁気結合回路５５より分電盤２ａから遠い部分に接続し、分電盤２ａと磁気結合回路５５との間の電力線Ｐ１２の線間にコンデンサ８を接続することにより、親モデム５と子モデム６、６、…との間で送受信される信号を、コンデンサ８に迂回させる。これにより、簡便な構成で、電力線Ｐ１１、Ｐ１２の電力供給側に信号が伝播することを防止でき、電力線Ｐ１、Ｐ１１、Ｐ１２、…から不要な漏洩電界が生じることを低減することができるとともに、分岐された電力線Ｐ１１、Ｐ１２夫々に対して、信号の干渉が生じない分離された通信ネットワークを構築することができる。さらに、電力線Ｐ１１、Ｐ１２の電力供給側への信号伝播を防止することにより、電力供給側に存在する抵抗成分により消費される電流が削減されることになり、従って効率的に他の通信装置へ信号を伝播することができる。
【００５４】
また、電力線を伝播する信号を除去するため、インダクタンスとコンデンサとを組み合わせたブロッキングフィルタを電力線に設けることも可能であるが、通常電力線には、数十〜数百Ａ程度の電流が流れているため、ブロッキングフィルタの形状が大型化し、分電盤内にブロッキングフィルタを設けることは現実的ではない。その点、本発明にあっては、コンデンサを用いることができ、分電盤が大型化することもなく、設置スペースが限られるような制限がある場合であっても、有効にかつ簡便な構成で信号の伝播を防止できる。
【００５５】
また、上述の子モデム６のような、キャパシティブカプラ（コンデンサを介して信号の送出及び抽出するもの）のモデムを電力線の電力供給側に近い部分に設け、分電盤とモデムとの間の電力線の間にコンデンサ８を接続した場合には、モデムから送出する信号がコンデンサ８を迂回し、電力線を伝播しなくなる虞がある。親モデム５に接続された磁気結合回路５５とコンデンサ８とを組み合せることにより、電力線に並列ではなく直列に信号を送出及び抽出することができ、かつ、コンデンサ８により不要な信号が伝播することを防止できる。
【００５６】
上述の実施の形態においては、コンデンサ８を漏電遮断器４ａ、４ｂ、…の負荷側端子に接続する構成であったが、これは一例であって、これに限定されるものではなく、電力線を伝播する信号を、それ以上電力供給側に流出させず、信号を迂回させたい箇所に設けることができる。
【００５７】
上述の実施の形態において、分電盤２ａの構成は一例であって、これに限定されるものではない。電力線を分岐するものであれば、どのような構成であっても、本発明を適用することができる。また、分電盤に代えて、他の配電パネルのようなものであってもよい。また、漏電遮断器に代えて、他のサーキットブレーカ、スイッチ類であってもよい。
【００５８】
上述の実施の形態においては、親モデム５に接続された磁気結合回路５５は、電力線のうち１本の電力線を挿通する構成であったが、環状の磁性体を２つ設け、夫々に電力線を挿通する構成であってもよい。
【００５９】
上述の実施の形態においては、電力線の線間にコンデンサ８を１つ接続するものであったが、これに限定されるものではなく、複数のコンデンサを直列又は並列に接続したものを接続する構成であってもよい。
【００６０】
上述の実施の形態においては、親モデム５に磁気結合回路５５を接続する構成であったが、コネクタにより磁気結合回路５５を親モデム５から着脱自在に構成することも、親モデム５の本体に磁気結合回路５５を固定し、磁気結合回路５５を親モデム５の一部品とする構成であってもよい。
【００６１】
上述の実施の形態においては、変調方式は直交振幅変調を用いる構成であったが、これに限定されるものではなく、他の変調方式（例えば、振幅変調、位相変調など）を使用する構成でもよい。
【図面の簡単な説明】
【００６２】
【図１】本発明の通信システムの概要を示す説明図である。
【図２】親モデムの構成を示すブロック図である。
【図３】子モデムの構成を示すブロック図である。
【図４】コンデンサの接続例を示す説明図である。
【図５】親モデム及び子モデム間の信号の流れを示す説明図である。
【符号の説明】
【００６３】
２ａ、２ｂ、２ｃ、２ｄ  分電盤
３ａ、４ａ、４ｂ  漏電遮断器
Ｐ１、Ｐ１１、Ｐ１２  電力線
５  親モデム
６  子モデム
７  電源コンセント
８  コンデンサ
５５  磁気結合回路
【図１】
2007028003.tif 000003
【図２】
2007028003.tif 000004
【図３】
2007028003.tif 000005
【図４】
2007028003.tif 000006
【図５】
2007028003.tif 000007